(57)【要約】      （修正有）【課題】花瓶及び花器類に、多数本の大小の生け花を固定し、且つ、花茎の吸水能力を高めることができる生花固定具を提供する。【解決手段】生け花の倒壊を防止するために、該固定具は金属・鋳物等のやや重量感のあるものにする。上部固定盤１の固定孔４の径は、生け花創作時の、花茎の挿入傾斜角度を考慮し、一般的に生け花で用いられる、花茎の径よりもやや大きめの大・小の固定孔４とし、適宜個数を設ける。下部固定盤２の固定孔５の径は、一般的に生け花で用いられる花茎の径と同等程度の固定孔５を適宜箇所に設け、それら各固定孔５の裏面に、一固定孔当り３本〜４本の鋭利な三角刃（逆さ剣山）を施す。上部固定盤１の固定孔４から挿入した花茎は、下部固定盤２の固定孔５に挿入され、さらに、固定孔５の裏面に施された三角刃（逆さ剣山）が、花茎７先端の側面を切り込み花茎を固定させる。【選択図】図１
0003162861.tif 000002
【実用新案登録請求の範囲】
【請求項１】
本考案は、一般花器類から壷状の底が深い花器類６までの大小を問わず、しっかりと固定され、安定した生け花を創作する目的で考案した生け花固定具である。生け花の倒壊に対応するために、全体の材質は金属・鋳物・陶器・ガラス等で製作し、やや重量感のあるものにする。上部固定盤１の固定孔４の径は、生け花創作時の花茎の挿入傾斜角度を考慮し、一般的に生け花で用いられる、花茎の径よりもやや大きめの大・小４とし、不特定多数を設ける。下部固定盤２の固定孔５の径は、一般的に生け花で用いられる花茎の径と同等程度の固定孔５を不特定多数箇所設け、それら各固定孔５の裏面に、一固定孔当り３本〜４本の鋭利な三角刃を施したものである。上部固定盤１の固定孔４から挿入した花茎は下部固定盤２の固定孔５に挿入され、さらに、固定孔５の裏面に施された三角刃（逆さ剣山）が、花茎７先端の側面を切り込み固定させることにより、吸水断面を損なわず、且つ、切り込まれた花茎７の側面開口部からの吸水能力が向上し、花茎の吸水性をも高めた花もちが長く、しっかり安定した生け花創作を可能にするものである。
【請求項２】
上部固定盤１と下部固定盤２の平面の形状は、円形・四角形・多角形等、さまざまな花器類に合わせた多種多様な形状で製作し、上部固定盤１と下部固定盤２との間隔は（高さ）、一般的な花器類及び壷状花器類の大・小に対応した形状・寸法とし、花器口（上部）から、上部固定盤１が突出しない寸法を基本とし、花器に応じた形状寸法で製作するものである。
【考案の詳細な説明】
【技術分野】
【０００１】  本考案は、生け花創作で一般的に使用されている剣山の役割を代用し、より安定した生け花創作を可能にするものである。製作材質は、金属・鋳物・陶器・ガラス等の比重の高い物質を素材とし、上部固定盤１に不特定多数の大・小の固定孔４を設け、下部固定盤２には不特定多数の花茎大の固定孔５を設けた上、その各孔の裏面に、鋭い小さな三角刃６を逆向きに施したものである。生け花創作の際、花茎７を上部固定盤１の孔から下部固定盤２固定孔５に直立或いは斜角度に二重に挿入し、下部固定盤２の固定孔５に挿入された花茎７の先端側部は、三角刃（逆さ剣山）６に切り込まれた状態でよりしっかりと固定され、生け花全体の形容を損なわず、吸水性を高め、花もちを長くし、長期間の生け花観賞を可能にするものである。
【背景技術】
【０００２】  従来から、花器底が比較的浅い花器を用いての生け花創作といえば、剣山で固定する手法が主流であり、多本数の花・草・木を使った生け花創作が行われてきた。しかし、剣山のみで固定された生け花の全容は、必ずしも満足のいく安定度とはいえない。一輪挿し等の、花器口の比較的小さな花器に、数本の花・草・木を活ける場合は、小さな花器口で固定されるため、安定した生け花創作が可能である。しかし、花器口が１０センチ以上、或いは２０センチ以上の大きな、且つ、底の深い壷状の花器類等に、安定した活け花創作するのは容易ではなく、花器口が大きいほど、生け花の形容を保つために、多数本の花・草・木が材料として必要になり、材料の無駄が生じるだけでなく、それらを束ねて花器口にもたせ掛けて固定するだけでは不安定であり、ましてや、華道などの、芸術的作品の創作を強いられる、生け花創作をするのは容易ではない。本考案は、その様な、花器口が大きく、底が深い花器類を用いた場合においても、必要最小限度の本数の花・草・木だけで、しっかりと固定され、安定した生け花創作を可能としたものである。
【先行技術文献】
【特許文献】
【０００３】
【特許文献１】特許公開２００１−３５３０５４号  広報
【０００４】
【特許文献２】実用新案公開平５−５１１６２号  広報
【０００５】
【特許文献３】実用新案公開平６−３６４５８号  広報
【０００６】
【特許文献４】特許公開２００８−７３２４１号  広報
【０００７】
【特許文献５】特許公開２００９−１５３９５４号  広報
【０００８】
【特許文献６】特許公開２００９−２４７８４８号  広報
【考案の概要】
【考案が解決しようとする課題】
【０００９】  本来、生け花には、剣山が主流として幅広く使用されているが、剣山のみを使用し、花器の口が大きくて底が深い壷、或いは花茎が太く、茎の長い花など多数本をバランス良く、多様な角度で固定させるのは容易ではなく、創作者の思いの角度で、剣山に何回も刺し直し、固定させるためは花茎を傷め、根腐れの原因になりかねず花もちもしないのである。特に、剣山の場合は、花茎の切断面（吸水断面）に数本の剣山釘が刺ささるゆえに、吸水断面が縮小され、花茎の吸水能力が低下するのは否めない。特許文献による技術の中に、剣山と花茎を固定させる為の支持具（ネット・孔板）を組み合わせた考案▲１▼、或いは、剣山を使わず、陶磁器等の花器そのものに、花茎を挿入する孔を施し固定させる考案▲２▼が存在した。特に、本考案と類似した［特許文献３］実用新案公開平６−３６４５８号の考案▲３▼技術は、円形状の上部支持盤（大）と下部支持盤（小）の異なる円盤に四角形貫通孔を施し、一定の間隔を設けて組み合わせ、下部支持盤（小）の裏側に装着した吸着盤で花器の底部に吸着固定するものである。考案▲３▼の生け花支持具では、支持具の全容が逆三角状に設置され、不安定な構造であるのに加え、花茎が太く、茎の長い花など多数本の花を活ける際の倒壊力に、吸着盤がどれだけ耐えられるか疑問が残る。又、一般花器類は、陶磁器・ガラス・金属・自然石等で製作されており、吸着盤の吸着力そのものが不安定である。いずれの考案▲１▼▲２▼▲３▼についても、本考案の、剣山を使わずに花茎７を上部固定盤１と下部固定盤２の固定孔に挿入して固定させた上、さらに、下部固定盤２固定孔５の裏面に施した三角刃（逆さ剣山）によって、しっかりと固定させる手法とは明らかに相違する技術である。本考案は、大小多種多様の花瓶及び花器類に、剣山を使用せず、多数本の生け花を如何に安定させ、芸術的創作を可能にするかという問題を解決しようとするものである。
【課題を解決するための手段】
【００１０】  本考案は、一般花器類から壷状の底が深い花器類６までの大小を問わず、しっかりと固定され、安定した生け花を創作する目的で考案した生け花固定具である。生け花の倒壊に対応するために、全体の材質は金属・鋳物・陶器・ガラス等で製作し、やや重量感のあるものにする。上部固定盤１の固定孔４の径は、生け花創作時の花茎７の挿入傾斜角度を考慮し、一般的に生け花で用いられる、花茎７の径よりもやや大きめの大・小とし、不特定多数を設ける。下部固定盤２の固定孔５の径は、一般的に生け花で用いられる花茎７の径と同等程度の固定孔５を不特定多数箇所設け、それら各固定孔５の裏面に、一固定孔当り３本〜４本の鋭利な三角刃（逆さ剣山）を施したものである。上部固定盤１の固定孔４から挿入した花茎７は、下部固定盤２の固定孔５に挿入され、さらに、固定孔５の裏面に施された三角刃（逆さ剣山）が、花茎７先端の側面を切り込み固定させることにより、吸水断面を損なわず、且つ、切り込まれた花茎の側面開口部からの吸水能力が向上し、十分な水分補給により花もちが良くなり、花茎７の吸水性をも高めた、安定した生け花創作を可能にするものである。又、上部固定盤１と下部固定盤２の平面の形状は、円形・四角形・多角形等、さまざまな花器類に応じた多種多様な形状で製作し、上部固定盤１と下部固定盤２との間隔は（高さ）、一般的な花器類及び壷状花器類の大・小に対応した形状・寸法とし、花器口（上部）から、上部固定盤１が突出しない寸法を基本とし、花器に応じた形状寸法で製作するものである。
【考案の効果】
【００１１】  従来の剣山を使用した生け花の創作では、一本の花の茎を剣山の釘数本に差し込み単に固定させるものであり、少し触っただけでも花茎の角度が変化しやすく、生け花の全容を損なう懸念がある。又、文献の考案に、陶器等の材質で花器に上蓋を設け、その蓋に多数の孔を施し花茎を固定させるという、花瓶と一体になった技術が存在したが、それらの考案は、固定孔に花の茎を挿入し、花茎の先端を花器底に接地させただけで、固定させるという不安定なものであった。又、本考案と特に類似した［特許文献３］実用新案公開平６−３６４５８号の考案▲３▼の技術は、円形状の上部支持盤（大）と下部支持盤（小）の異なる円盤に四角形貫通孔を施し、一定の間隔を設けて組み合わせ、下部支持盤（小）の裏側に装着した吸着盤で、花器の底部に固定するというもので、強度的な安定性に欠けている上、支持具の全容が逆三角状に設置される等、不安定な構造であった。本考案は、花茎７を上部固定盤１の固定孔４と下部固定盤２の固定孔５に二重に挿入し、下部固定盤２の固定孔５の裏面に施した、三角刃（逆さ剣山）６で、花茎７の側面を切り込ませた状態で固定する方法である。それにより、花茎７の側面開口部からの吸水能力を向上させ、吸水性が良好で花もちが長い生け花創作を可能にするもので、従来の考案技術に類を見ない独特の考案である。
【図面の簡単な説明】
【００１２】
【図１】本考案の、逆さ剣山（生け花固定具・円形）を壷状花器に用いた仮想図である。
【図２】逆さ剣山（生け花固定具・円形）の立体図である。
【図３】逆さ剣山（生け花固定具）の断面図（円型・四角型共通の）である。
【図４】下部固定盤の孔裏面に設けた三角刃（逆さ剣山）の詳細図である。
【図５】逆さ剣山（生け花固定具）の上部固定盤（円型）平面図である。
【図６】逆さ剣山（生け花固定具）の下部固定盤（円型）平面図である。
【図７】逆さ剣山（生け花固定具・四角型）の立体図である。
【図８】逆さ剣山（生け花固定具）の上部固定盤（四角型）平面図である。
【図９】逆さ剣山（生け花固定具）の下部固定盤（四角型）平面図である
【考案を実施するための形態】
【実施例】
【００１３】  本考案は、一般花器類から壷状花器類までの大小を問わず、如何に安定した、花もちの長い生け花創作をするかを目的に、考案した生け花固定具である。上部固定盤１の固定孔４から、生け花創作者の思いの角度で挿入された花茎７は、下部固定盤２の固定孔５の何れかに挿入され、挿入した花茎７の先端側部は、その挿入作用により、三角刃（逆さ剣山）６によって斜角度に切り込まれ、しっかりと固定されるのである。さらに、その切り込まれた花茎７の先端側部からの吸水性が向上し、花もちが長い、安定した生け花創作が可能となり、本考案の目的が達せられるのである。
【符号の説明】
【００１４】    １  上部固定盤
２  下部固定盤
３  脚部（４本）
４  固定孔（大・小））
５  固定孔（小）
６  三角刃（逆さ剣山）
７  茎（仮想）
８  花（仮想）
【図１】
0003162861.tif 000003
【図２】
0003162861.tif 000004
【図３】
0003162861.tif 000005
【図４】
0003162861.tif 000006
【図５】
0003162861.tif 000007
【図６】
0003162861.tif 000008
【図７】
0003162861.tif 000009
【図８】
0003162861.tif 000010
【図９】
0003162861.tif 000011
【手続補正書】
【提出日】平成22年2月22日(2010.2.22)
【手続補正１】
【補正対象書類名】実用新案登録請求の範囲
【補正対象項目名】全文
【補正方法】変更
【補正の内容】
【実用新案登録請求の範囲】
【請求項１】
本考案は、底が浅い花器類から壷状の底が深い花器類にいたるまで、如何にして活花をしっかりと固定させ、安定した活花創作をすることが可能かを課題に考案した活花固定具である、活花の倒壊に対応するため、材質は重量感のある金属・鋳物・陶磁器・ガラスを用い、上部固定盤１と下部固定盤２の平面形状は円形の外に多角形状とする、上部固定盤１の固定孔４の径は、花茎の挿入傾斜角度を考慮し、活花で用いられる花茎の径よりも大きめの大・小４とし、活花の規模に適合するため不特定多数箇所に設ける、下部固定盤２の固定孔５の径は、活花で用いられる花茎の径と同等とし不特定多数箇所に設ける、下部固定盤２裏側の全孔には、１孔当たり３〜４本の鋭利な三角刃６を設け、上部固定盤１から挿入された花茎の先端が、下部固定盤２の固定孔５に挿入され、さらに固定孔５の裏側に設けられた三角刃６に切り込ませ、花茎をしっかりと固定させる技術を特徴とした、三角刃６を有する逆さ剣山。
【手続補正書】
【提出日】平成22年4月16日(2010.4.16)
【手続補正１】
【補正対象書類名】実用新案登録請求の範囲
【補正対象項目名】全文
【補正方法】変更
【補正の内容】
【実用新案登録請求の範囲】
【請求項１】
活花の倒壊に対応するため、材質は重量感のある金属・鋳物・陶磁器・ガラスとし、平面形状は円形の外に多角形状を用い、上部固定盤１と下部固定盤２の平面上に不特定多数の大・小の固定孔４・５を有することを特徴とする逆さ剣山。
【請求項２】
上部固定盤１から挿入された花茎を下部固定盤２の固定孔５に挿入し安定させるため、下部固定盤２の全固定孔５の裏面に１孔当たり３〜４本の鋭利な三角刃６を刃先を下向きに装着固定し、挿入された花茎の先端を三角刃６に切り込ませ固定する、刃先を下向きに装着固定した三角刃６を有することを特徴とする逆さ剣山。
【手続補正書】
【提出日】平成22年6月25日(2010.6.25)
【手続補正１】
【補正対象書類名】実用新案登録請求の範囲
【補正対象項目名】全文
【補正方法】変更
【補正の内容】
【実用新案登録請求の範囲】
【請求項１】
活花の倒壊に対応するため、材質は重量感のある金属・鋳物・陶磁器・ガラスとし、平面形状は円形の外に多角形状を用い、上部固定盤１と下部固定盤２の平面上に不特定多数の大・小の固定孔４・５を有することを特徴とする逆さ剣山。
【請求項２】
上部固定盤１から挿入された花茎を下部固定盤２の固定孔５に挿入し安定させるため、下部固定盤２の全固定孔５の裏面に１孔当たり３〜４本の鋭利な三角刃６を刃先を下向きに装着固定し、挿入された花茎の先端を三角刃６に切り込ませ固定する、刃先を下向きに装着固定した三角刃６を有することを特徴とする請求項１記載の逆さ剣山。